【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】
標本の光像を得る顕微鏡に取り付けられる顕微鏡用デジタルカメラにおいて、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の光像の状態を検出し、その情報を前記色補正手段へ出力する標本光像情報検出手段と、を具備し、
前記色補正パラメータ変更手段は、前記標本光像情報検出手段の検出結果に基づいて前記色補正パラメータを変更することを特徴とする顕微鏡用デジタルカメラ。
【請求項２】
前記色補正手段は、色変換マトリックスにより色補正処理を行い、
前記色補正パラメータ変更手段は、前記色変換マトリックスを変更することを特徴とする請求項１に記載の顕微鏡用デジタルカメラ。
【請求項３】
前記標本光像情報検出手段は、前記画像データに含まれる色成分を判別することを特徴とする請求項１または２に記載の顕微鏡用デジタルカメラ。
【請求項４】
標本の光像を得る顕微鏡に取り付けられる顕微鏡用デジタルカメラにおいて、標本の光像を撮像する撮像素子と、
カメラからのRGB映像信号をXYZ色度値へ変換する色度値マトリックス及び
XYZ色度値をモニタに表示するためにRGB信号へ変換するモニタ信号変換マトリックスを使用し、
前記色値変換マトリックスと前記モニタ信号変換マトリックスの積である変更可能な色変換マトリックスを色補正パラメータとして、前記撮像素子で撮像した前記標本の光像の画像データの色補正をする色補正手段と、
前記画像データに含まれる色成分の色相角を検出し、かつ、その情報を前記色補正手段へ出力する標本光像情報検出手段と、
前記標本光像情報検出手段の検出した色成分の色相角に基づいて前記色補正パラメータを変更する色補正パラメータ変更手段を
備えたことを特徴とする顕微鏡用デジタルカメラ。
【請求項５】
標本の光像を得る顕微鏡に取り付けられる顕微鏡用デジタルカメラにおいて、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の染色方法を入力する染色方法入力手段を具備し、
前記色補正パラメータ変更手段は、前記染色方法によって前記色補正パラメータを変更することを特徴とする顕微鏡用デジタルカメラ。
【請求項６】
標本の光像を得る顕微鏡に取り付けられる顕微鏡用デジタルカメラにおいて、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の観察方法を入力する観察方法入力手段を具備し、
前記色補正パラメータ変更手段は、前記観察方法によって前記色補正パラメータを変更することを特徴とする顕微鏡用デジタルカメラ。
【請求項７】
前記観察方法は、明視野観察、位相差観察、微分干渉観察、暗視野観察、変更観察、及び蛍光観察のいずれかであることを特徴とする請求項6記載の顕微鏡用デジタルカメラ。
【請求項８】
標本の光像を得る顕微鏡に取り付けられる顕微鏡用デジタルカメラにおいて、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の蛍光観察方法を入力する蛍光観察方法入力手段を具備し、
前記色補正パラメータ変更手段は、前記蛍光観察方法によって前記色補正パラメータを変更することを特徴とする顕微鏡用デジタルカメラ。
【請求項９】
前記蛍光観察方法は、蛍光色素名又は蛍光キューブ名の少なくとも一方からなることを特徴とする請求項９記載の顕微鏡用デジタルカメラ。
【請求項１０】
前記色変換マトリックスは、前記標本の画像上で指定された２点の色差を拡大して色再現するように設計されていることを特徴とする請求項２に記載の顕微鏡デジタルカメラ。
【手続補正２】
【補正対象書類名】明細書
【補正対象項目名】００１０
【補正方法】変更
【補正の内容】
【００１０】
【課題を解決する為の手段】
上記課題を解決し目的を達成するために、本発明の顕微鏡用デジタルカメラは以下の如く構成されている。
【手続補正３】
【補正対象書類名】明細書
【補正対象項目名】００１１
【補正方法】変更
【補正の内容】
【００１１】
請求項１に係る標本の光像を得る顕微鏡に取り付けられる顕微鏡用デジタルカメラは、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の光像の状態を検出し、その情報を前記色補正手段へ出力する標本光像情報検出手段と、を具備し、
前記色補正パラメータ変更手段は、前記標本光像情報検出手段の検出結果に基づいて前記色補正パラメータを変更する。
【手続補正４】
【補正対象書類名】明細書
【補正対象項目名】００１２
【補正方法】変更
【補正の内容】
【００１２】
請求項２に係る顕微鏡用デジタルカメラは、請求項１に記載の顕微鏡用デジタルカメラであり、前記色補正手段は、色変換マトリックスにより色補正処理を行い、前記色補正パラメータ変更手段は、前記色変換マトリックスを変更する。
【手続補正５】
【補正対象書類名】明細書
【補正対象項目名】００１３
【補正方法】変更
【補正の内容】
【００１３】
請求項３に係るデジタルカメラは、請求項１または２に記載の顕微鏡用デジタルカメラであり、前記標本光像情報検出手段は、前記画像データに含まれる色成分を判別することを特徴とする。
【手続補正６】
【補正対象書類名】明細書
【補正対象項目名】００１４
【補正方法】変更
【補正の内容】
【００１４】
請求項４に係わる標本の光像を得る顕微鏡に取り付けられる顕微鏡用デジタルカメラは、標本の光像を撮像する撮像素子と、
カメラからのRGB映像信号をXYZ色度値へ変換する色度値マトリックス及び
XYZ色度値をモニタに表示するためにRGB信号へ変換するモニタ信号変換マトリックスを使用し、
前記色値変換マトリックスと前記モニタ信号変換マトリックスの積である変更可能な色変換マトリックスを色補正パラメータとして、前記撮像素子で撮像した前記標本の光像の画像データの色補正をする色補正手段と、
前記画像データに含まれる色成分の色相角を検出し、かつ、その情報を前記色補正手段へ出力する標本光像情報検出手段と、
前記標本光像情報検出手段の検出した色成分の色相角に基づいて前記色補正パラメータを変更する色補正パラメータ変更手段を
備えたことを特徴とする。
【手続補正７】
【補正対象書類名】明細書
【補正対象項目名】００１５
【補正方法】変更
【補正の内容】
【００１５】
請求項５に係わる標本の光像を得る顕微鏡に取り付けられる顕微鏡用デジタルカメラは、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の染色方法を入力する染色方法入力手段を具備し、
前記色補正パラメータ変更手段は、前記染色方法によって前記色補正パラメータを変更することを特徴とする。
【手続補正８】
【補正対象書類名】明細書
【補正対象項目名】００１６
【補正方法】変更
【補正の内容】
【００１６】
請求項６に係わる標本の光像を得る顕微鏡に取り付けられる顕微鏡用デジタルカメラは、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の観察方法を入力する観察方法入力手段を具備し、
前記色補正パラメータ変更手段は、前記観察方法によって前記色補正パラメータを変更することを特徴とする。
【手続補正９】
【補正対象書類名】明細書
【補正対象項目名】００１７
【補正方法】変更
【補正の内容】
【００１７】
請求項７に係わる前記観察方法は、明視野観察、位相差観察、微分干渉観察、暗視野観察、変更観察、及び蛍光観察のいずれかであることを特徴とする。
【手続補正１０】
【補正対象書類名】明細書
【補正対象項目名】００１８
【補正方法】変更
【補正の内容】
【００１８】
請求項８に係わる標本の光像を得る顕微鏡に取り付けられる顕微鏡用デジタルカメラは、
前記顕微鏡で得た前記標本の光像を撮像する撮像素子と、
前記撮像素子で撮像した前記標本の光像の画像データを色補正処理する色補正手段と、
前記色補正手段の色補正パラメータを変更する色補正パラメータ変更手段と、
前記標本の蛍光観察方法を入力する蛍光観察方法入力手段を具備し、
前記色補正パラメータ変更手段は、前記蛍光観察方法によって前記色補正パラメータを変更することを特徴とする。
【手続補正１１】
【補正対象書類名】明細書
【補正対象項目名】００１９
【補正方法】変更
【補正の内容】
【００１９】
請求項９に係わる前記蛍光観察方法は、請求項９記載の顕微鏡用デジタルカメラに使用する蛍光観察方法であって、蛍光色素名又は蛍光キューブ名の少なくとも一方からなることを特徴とする。
【手続補正１２】
【補正対象書類名】明細書
【補正対象項目名】００２０
【補正方法】変更
【補正の内容】
【００２０】
請求項１０に係わる前記色変換マトリックスは、請求項２に記載の顕微鏡デジタルカメラであって前記標本の画像上で指定された２点の色差を拡大して色再現するように設計されていることを特徴とする。